(57)【特許請求の範囲】
【請求項１】
少なくとも表面側を化粧面とし、前記化粧面には長さを測る物差し部とゲージ部とが印刷され、
前記物差し部には大目盛がふられ、前記ゲージ部には前記大目盛より小さな小目盛がふられ、
前記大目盛にて画された複数の区画を大区画として、一部の大区画に前記ゲージ部が設けられ、他の大区画には前記ゲージ部が設けられないものであり、
前記ゲージ部は、前記小目盛にて前記大区画よりも小さな複数の小区画に画され、
隣り合う前記小区画同士は、異なる色に色分けされたものであることを特徴とする養生ボード。
【請求項２】
前記ゲージ部は、輪郭の一部として、前記小目盛がふられた直線部分と、前記直線部分と交差してコーナーを呈する副直線部分とを備え、
前記直線部分の前記小目盛の夫々は、前記直線部分を等分するものであり、前記直線部分の前記小目盛の夫々は、互いの間隔を開けてゲージ部の内側に向けて伸び、ゲージ部内で曲がることにて更に前記副直線部分へ向けて伸び、前記副直線部分へ達することにて前記副直線部分を等分割する小目盛を構成するものであることを特徴とする請求項１記載の養生ボード。
【請求項３】
前記物差し部は、目的とする形状や寸法に切り取り或いは折り込む目安とする、少なくとも１本の線分を備え、前記大目盛は、前記線分を等分するものであり、
前記物差し部は、前記ゲージ部が設けられていない一つ又は複数の前記大区画を挟む少なくとも一対の前記ゲージ部を備え、
前記ゲージ部の夫々は、前記線分の一部をなす辺を有するものであり、前記小目盛は前記辺を等分するものであることを特徴とする請求項１記載の養生ボード。
【請求項４】
少なくとも表面に網目模様が印刷された養生ボードであって、
当該網目模様を構成する複数の網目のうち、少なくとも１つの網目を指標網目とし、
前記指標網目の少なくとも１辺には、目盛が設けられ、
前記目盛の夫々は、互いに等間隔を開け指標網目の内側へ向けて伸び、
前記指標網目内は、上記内側へ向けて伸びる目盛にて複数の小区画に画され、隣り合う小区画同士が異なる色に色分けされたことを特徴とする養生ボード。
【請求項５】
建築物の床面、階段、或いは壁面へ配されて家具や設備品の搬入や搬出により床面や階段或いは壁面が傷つくのを防止する、略畳一畳分の縦横の幅を備えたものであり、
前記網目模様とは、前記網目の夫々を正方形の升目とする方眼であり、前記指標網目を指標升目とするものであり、前記方眼が呈する格子の縦横は、養生ボードの前記縦横に沿ったものであり、
前記方眼は、前記指標升目を少なくとも４つ備え、前記各指標升目は、前記方眼の一部をなし且つ複数の前記升目にて構成された矩形の四隅に配置されたものであり、
前記指標升目がなす前記矩形の四隅の夫々について、前記矩形の各頂点を挟む個々の指標升目の縦横２辺のうち横辺を等分する目盛りを前記目盛として備え、
前記目盛の夫々は、当該指標升目内へ向け縦に伸び更に互いの間隔を開けたまま直角に曲がって横に伸び、前記矩形の頂点を挟む指標升目の縦横２辺のうちの縦辺に達して、前記縦辺を等分する目盛りを構成し、
隣り合う前記小区画の一方は淡色領域とされ、隣り合う前記小区画の他の一方は、前記淡色領域より濃色の濃色領域とされて、濃淡の色分けがなされたものであり、
前記指標升目及び指標升目以外の升目を目安として床面に合わせて切り取り或いは折り込んで使用でき、床面に敷設後、前記指標升目及び指標升目以外の升目を、家具や設備品の設置の可否やレイアウトの可否を知るための採寸の目安とすることができる請求項４記載の養生ボード。
【発明の詳細な説明】
【技術分野】
【０００１】
本願発明は、養生ボードに関するものである。
【背景技術】
【０００２】
クッション材を積層したラミネート紙にて形成され、保護する対象を覆うことによって保護する対象に加わる衝撃を吸収する養生ボードが普及しつつある。
養生ボードは、保護する面を覆うように配置して使用される、クッション材を積層したラミネート紙のボードであり、衝撃を吸収して保護する面が傷つくのを防ぐものである。
このような養生ボードは、住宅や店舗などの建築物の改装、新築、引越の際に床面へ配されて家具や設備の搬入や搬出により床面が傷つくのを防止することができる（特許文献１及び２）。
【先行技術文献】
【特許文献】
【０００３】
【特許文献１】特許第３９６７６４１号公報
【特許文献２】特許第５７１５３７１号公報
【発明の概要】
【発明が解決しようとする課題】
【０００４】
上記の新築や改装時の搬入作業時などにおいて、第１の問題として、作業中設備品の取り付けに使用するネジなどの比較的小さなものを採寸したい場合には、一々物差しを用意する必要があった。
そこで先ず、本願発明者は、物差し同様上記養生ボードに目盛を印刷しておけば、床に敷いた養生ボードを利用して、上記のような小物の採寸が行えるのではないかと考えた。
【０００５】
しかし、単純に上記目盛を養生ボードに設けても、敷かれた床を保護するものの養生ボード自体は、搬入や搬出のため室内を出入りする者に踏まれて汚れたり剥げたりして読み取り難くなり勝ちである。また、汚れや剥げがないとしても、細かな目盛自体目に付き難く或いは読み取り難いものであると思われた。また、足元にそのような目盛があることも気づかれずに十分利用されないといった危惧もある。
特に、一般的な物差しの目盛と同様、淡色の背景色（物差しの地の色）に対して上記目盛となる複数の短い線を黒などの濃色で表示するものとし、当該目盛となる個々の線を太くすることで、読み易く目立ち易いものとすることが考えられるが、当該線間に目盛りとして必要な間隔を確保するため、個々の当該線の太さは制限される。
また、実用第一であり、そもそもデザイン性の乏しい養生ボードについて、単純に採寸用の上記目盛をプリントすると、却って外観を損なう危惧もある。
【０００６】
更に、第２の問題として、従来の養生ボードを床に敷き詰めると、例えば床がフローリングの場合板材の繋ぎ目などの目印となるものが見えなくなり、事前に搬入する家具或いは設備品などの大物について、配置や必要なスペースの見当をつけることが困難になる。
このため上記大物の配置やスペース確保の見当をつける場合も、従来通り巻尺や指矩などの物差しを別途用意して寸法を採るというのが一般的であった。
この点について、上記配置やスペース確保の可否の見当をつけるのに、養生ボードの表面に方眼を印刷することによって上記の配置やスペースの目安とし、別途メジャーや物差しを用意する手間を省くことも考えられる。このような方眼の印刷は、床の寸法や形状に合わせて現場にて養生ボードをカットして利用する場合も切断の目安とすることができる。
【０００７】
しかし、別途物差しを用意する手間は省けるものの、養生ボードへ方眼を印刷して、家具の配置などの検討をつける場合、的確に寸法を知ろうとすれば、方眼に近づいて一々升目の数を読まなくてはならず、面倒である。
その一方で、精密に採寸を行おうとすれば、目盛となる升目をより小さな計測単位とすべく細かくする必要がある。しかし、升目を細くすれば、升目の数を読む作業はより一層煩わしくなるというジレンマを抱える。
【０００８】
即ち、特徴のない升目を、離れた位置から一々目で追って長さを知るのは面倒である上、より精密な採寸を行おうとしたり、或いは箪笥などの大物のみならずネジなどの小物も計測したいと考えて上記升目を細かいものとすれば、家具などの大物の寸法を見るときに升目を数えるのが殊更面倒な作業となってしまうのである。
一般のメジャーや物差しでは、例えば１０ｃｍ間隔の目盛と、当該目盛間を当分する１ｃｍ間隔の目盛とを備えるものとし、１０ｃｍ間隔の目盛を１ｃｍ間隔の目盛よりも長い或いは太い線で印して、１ｃｍ間隔の目盛よりも１０ｃｍ間隔の目盛を目立つものとし、計測時目盛を読み易いものとする工夫がなされている。
しかし、このような手法を養生ボードにそのまま適用しても、現場で足元に敷かれた養生ボードの目盛を見下ろす状況では若干目盛が読み易くなるだけで、しゃがんで升目を近目に見て数える上記煩わしさを払拭する十分な効果を得るものではない。
勿論、１０ｃｍ間隔の目盛について行われている上記工夫を例えば３０ｃｍ間隔の目盛についても行うものとすれば、多少の目盛の読み込みを迅速に行うことは可能となるかも知れない。しかし、方眼に近づいて升目の数を読む煩わしさを排除する決定的な効果を得るものではない。
【０００９】
更に、第３の問題として、上記の養生ボードは、主として養生という建築物の内装の保護という用途でしか利用されておらず、養生ボードとして付加価値が高いものの養生以外の目的に十分な利用が図られるとは言えなかった。
【００１０】
そこで、本願発明は、上記第１の問題を解決するため、目盛を表示する領域を養生ボードへ設けると共に、養生ボードに遠目にも分かり易く汚れや多少の汚れやボード表面の消耗によっても読み難くなるのを防止できる目盛を備えた養生ボードの提供を図る。特に本願発明は、上記実用性と共にデザイン性を向上した養生ボードの提供を図る。
また本願発明は上記第２の問題を解決するため、上記煩わしさを抑え升目の数を把握し易い方眼付きの養生ボードの提供を図る。
更に本願発明は上記第３の問題を解決するため、養生ボードとしてのみならず上記多目的な利用に供することができる養生ボードの提供を図る。
【課題を解決するための手段】
【００１１】
本願発明は、少なくとも表面側を化粧面とし、前記化粧面には長さを測る物差し部とゲージ部とが印刷され、前記物差し部には大目盛がふられ、前記ゲージ部には前記大目盛より小さな小目盛がふられ、前記大目盛にて画された複数の区画を大区画として、一部の大区画に前記ゲージ部が設けられ、他の大区画には前記ゲージ部が設けられないものであり、前記ゲージ部は、前記小目盛にて前記大区画よりも小さな複数の小区画に画され、隣り合う前記小区画同士は、異なる色に色分けされた養生ボードを提供する。
また、本願発明では、前記ゲージ部は、輪郭の一部として、前記小目盛がふられた直線部分と、前記直線部分と交差してコーナーを呈する副直線部分とを備え、前記直線部分の前記小目盛の夫々は、前記直線部分を等分するものであり、前記直線部分の前記小目盛の夫々は、互いの間隔を開けてゲージ部の内側に向けて伸び、ゲージ部内で曲がることにて更に前記副直線部分へ向けて伸び、前記副直線部分へ達することにて前記副直線部分を等分割する小目盛を構成する養生ボードを提供できた。
更に、本願発明では、前記物差し部は、目的とする形状や寸法に切り取り或いは折り込む目安とする、少なくとも１本の線分を備え、前記大目盛は、前記線分を等分するものであり、前記物差し部は、前記ゲージ部が設けられていない一つ又は複数の前記大区画を挟む少なくとも一対の前記ゲージ部を備え、前記ゲージ部の夫々は、前記線分の一部をなす辺を有するものであり、前記小目盛は前記辺を等分する養生ボードを提供できた。
また更に本願発明では、少なくとも表面に網目模様が印刷された養生ボードであって、当該網目模様を構成する複数の網目のうち、少なくとも１つの網目を指標網目とし、前記指標網目の少なくとも１辺には、目盛が設けられ、前記目盛の夫々は、互いに等間隔を開け指標網目の内側へ向けて伸び、前記指標網目内は、上記内側へ向けて伸びる目盛にて複数の小区画に画され、隣り合う小区画同士が異なる色に色分けされた養生ボードを提供できた。
更にまた本願発明では、建築物の床面、階段、或いは壁面へ配されて家具や設備品の搬入や搬出により床面や階段或いは壁面が傷つくのを防止する、略畳一畳分の縦横の幅を備えたものであり、前記網目模様とは、前記網目の夫々を正方形の升目とする方眼であり、前記指標網目を指標升目とするものであり、前記方眼が呈する格子の縦横は、養生ボードの前記縦横に沿ったものであり、前記方眼は、前記指標升目を少なくとも４つ備え、前記各指標升目は、前記方眼の一部をなし且つ複数の前記升目にて構成された矩形の四隅に配置されたものであり、前記指標升目がなす前記矩形の四隅の夫々について、前記矩形の各頂点を挟む個々の指標升目の縦横２辺のうち横辺を等分する目盛りを前記目盛として備え、前記目盛の夫々は、当該指標升目内へ向け縦に伸び更に互いの間隔を開けたまま直角に曲がって横に伸び、前記矩形の頂点を挟む指標升目の縦横２辺のうちの縦辺に達して、前記縦辺を等分する目盛りを構成し、隣り合う前記小区画の一方は淡色領域とされ、隣り合う前記小区画の他の一方は、前記淡色領域より濃色の濃色領域とされて、濃淡の色分けがなされたものであり、前記指標升目及び指標升目以外の升目を目安として床面に合わせて切り取り或いは折り込んで使用でき、床面に敷設後、前記指標升目及び指標升目以外の升目を、家具や設備品の設置の可否やレイアウトの可否を知るための採寸の目安とすることができる養生ボードを提供できた。
尚、上記各発明において、色分け、濃色、淡色の「色」とは、有彩色のみならず白、黒や灰色といった無彩色も含む。また「色分け」に用いる一部の色は、印刷により着色する他、ボードの地の色をそのまま利用したものも含む。
また、物差し部の線分や、前記直線部分、副直線部分、辺といったゲージ部の輪郭は、実際の線が印刷されたものを含む他、実際の線が印刷されていなくてもよい。例えば、色分けにより境界が線として認識できるものや、或いは輪郭の他の部分を延長して把握できるものも含むのである。ゲージ部内を区画する目盛即ち小区画の境界線についても、線（実線）として印刷されたものでなくとも色分けの境界として認識できるものであればよい。指標網目（指標升目）の輪郭や目盛即ち境界線についても、上記ゲージ部と同様である。
【発明の効果】
【００１２】
本願発明では養生ボードへ上記ゲージ部を設けることによって、養生ボードを利用する現場において、別途指矩などの物差しを用意する必要を無くし、養生ボードの利便性を高めた。
特に上記ゲージ部の採用により、ねじその他の小物の寸法を測る場合に、養生ボードへ印刷した目盛を極めて読み取り易いものとした。
具体的には、本願発明では、上記ゲージ部において、隣り合う小区画を色分けすることによって、目盛を単なる小区画間の境界線とし、目盛自体を太くせずとも色分けされた小区画を読むことで寸法を測ることができ、見易いものとした。このように色分けされた小区画を見ることで、ゲージ部は、汚れなどにて読み取り難くならず、またデザイン性が高められて人目を引き、作業者に見落とされ難い。
また上記養生ボードは、部屋の形状や寸法によって、カットして利用することができ、上記ゲージ部は養生ボードの一部としそのまま利用する他上記カットによって生じる端切れと同様、ゲージ部を養生ボードから切り離して独立したゲージとして利用でき、寸法を測る対象を一々養生ボードの傍に持って来る必要が無い。このため、ネジに限らず、持ち運びできないネジ穴の採寸などにもゲージ部を切り取ることで可能となる。
【００１３】
また、上記のゲージ部内において、ゲージ部の一辺即ち上記直線部分の目盛がゲージ部内へ伸びると共にゲージ部内で伸びる向きを変えて隣り合う他の一辺即ち上記副直線部分へ達することにより、ゲージ部内は上記一辺から他の一辺に渡る小区画の夫々が屈曲しつつ或いは湾曲した区画を呈し且つ隣接する小区画同士が異なる色を呈するという、より斬新なデザイン処理をなし得た。上記のデザイン処理によって、より一層人目を引くと共に、上記色分けの境界が直線部分と副直線部分とに跨り当該直線部分と副直線部分夫々の目盛となって、向きの異なる上記両辺夫々をゲージとして利用することができる。また、上記図案化されたゲージ部によって遠目にも上記両辺の目盛の夫々を識別し易いものとなった。
【００１４】
更に、本願発明において、上記の通り養生ボードは、対となる両ゲージ部に挟まれた大目盛の数を一度把握しておけば、目立つゲージ部を目印として対となる両ゲージ部間から外側に出る大目盛の数或いは両ゲージ部間においてゲージ部に届かない大目盛の数を読むだけで、迅速に測る対象に対応する大目盛の数全てを把握することができる。
ゲージ部は、上記の通りその特徴あるデザインにより計測の目印即ち指標として利用できると共にゲージ部自体そのデザインによって上記の通り小目盛を極めて読み取り易いものとしているのである。
【００１５】
また、本願発明では、養生ボードに網目模様を施し、複数の網目を挟んで対をなす２つの網目を指標網目とし、上記ゲージ部と同様色分けした小区画の境界線を目盛（小目盛）とすることにより小物の正確な採寸や精密な採寸に対応しつつ、大物の採寸時遠目においても迅速に網目の数を数えることができるという、相反する効果を両立せしめて、養生ボードの利便性を高めた。
【００１６】
更に本願発明では、養生ボードとして適したサイズのものを提供すると共に、縦横何れの採寸においても、大凡の升数の目印とできるよう指標升目を配置したものである。特に、単に縦横方向の長さの把握のみならず広さの直接的な把握においても適切な指標を提供したものである。
床を保護する場合など、通常養生ボードを複数枚並べて隣接する養生ボード同士をテープで留めて利用する。このとき、個々の養生ボードは畳一畳分のサイズであるので、部屋の畳数に応じて敷設するのに必要な枚数も容易に把握でき、または柱などの突出部分や台所の流しなどの設置品に養生ボードの形状を適合させるために、方眼及びその指標升目を目安にすることにて、別途物差しを要せず養生ボードを適切な寸法や形状にカッタなどで切り取る作業が簡単に行える。
建築物の内装の養生に利用する場合、部屋や廊下の平らな床に限らず階段などの段差のある場所についても、方眼や指標升目を目安に折り込むことにより利用することができる。
更に、この養生ボードは、床や階段に限らず壁や扉の保護にも利用することができる。養生ボードを壁などに沿わせて上下縦に配置することにより、台所の流しの高さなども採寸することができる。
例えば、養生ボードを上記のように折り畳むのではなく、折り目線にて山なりに曲げることにて、養生ボードを壁などに沿わせることなく自立させて利用することができる。
【００１７】
また、本願発明に係る養生ボードをワゴン車の荷台に敷いて積み荷にて車内が傷付くのを防止することができ、この場合も、方眼及び指標升目を利用して養生ボードを荷台に敷くのに適切な寸法や形状にすることができる。
方眼を利用し、家具やその他の設備品の配置やレイアウトを搬入や設備品の購入に先立って簡単に見当をつけることができる。また、養生に使用する場合のみならず、家具や設備品のある場所、例えば家具屋などに養生ボード自体を持参し、家具の大きさに養生ボードを切り取り或いは折り込んで、家具を置こうとする部屋に養生ボードを持ち帰って設置の可否やレイアウトを家具購入前に確認することができる。
また、畳一畳分のサイズの養生ボードは四つ折りにすることによって、持ち運びや取り扱いに適したサイズにすることができる。特に養生ボードを四つ折りにすることによって工作を行う際卓上に敷くことができる適切なサイズとでき、カッティングマットとして養生ボードを利用し机やテーブルが傷付くのを防ぐことができる。
上記家具の配置確認やスペース確保のための採寸や、室内や車内へ敷く適切な寸法・形状に養生ボードをカットする場合、指標升目には、矩形の頂点を中心として矩形内において当該頂点を取り囲むように各小区画が配置され、隣接する小区画同士が濃淡色分けされているので、弓道やダーツ、アーチェーリの標的のように視線を濃淡模様が取り囲む中心へ誘導することができ頂点となる角が分かり易く、遠目にも正確な採寸を可能とするのである。例えば、上記四隅の間の升目が見難く矩形の４辺が判別し難いものであったとしても、上記デザイン処理により、矩形の４つの角が上記の通り際立ち、４つの頂点が明瞭になり矩形がイメージし易いものとなり、当該矩形を一つの指標として家具などの配置の確認が円滑に行えるのである。
他方において、個々の升目全てを濃淡による上記デザイン処理にて目立たせるとすると却って繁雑な模様を呈して方眼が見難いものとなる危惧があるが、この点、指標升目を離散した状態に配置し、指標升目の升目は無地の升目とすることにて、指標升目を他の升目との対比において際立ったものとし、指標としての機能を確保できた。また指標升目の上記離散配置にて、デザイン的にも優れた養生ボードを提供できた。
【図面の簡単な説明】
【００１８】
【図１】（Ａ）は本願発明に係る一実施の形態の養生ボードの全体平面図、（Ｂ）は（Ａ）の要部拡大平面図。
【図２】（Ａ）は図１（Ａ）の養生ボードの底面図、（Ｂ）は図１（Ａ）の要部拡大平面図、（Ｃ）は（Ｂ）の要部拡大平面図。
【図３】（Ａ）は図１（Ａ）の養生ボードの要部断面図、（Ｂ）は図１（Ａ）の養生ボードの使用状態の一例を示す側面図、（Ｃ）は図１（Ａ）の養生ボードの他の使用例を示す正面図。
【図４】（Ａ）は本願発明に係る養生ボードの使用状態を示す略斜視図、（Ｂ）は本願発明に係る養生ボードの他の使用例を示す斜視図。
【図５】（Ａ）は本願発明に係る養生ボードのまた他の使用例を示す斜視図、（Ｂ）は本願発明に係る養生ボードの更に他の使用例を示す斜視図。
【図６】（Ａ）は本願発明に係る養生ボードの指標升目について他の例を示す拡大平面図、（Ｂ）は本願発明に係る養生ボードの指標升目について更に他の例を示す拡大平面図。
【図７】（Ａ）は本願発明に係る養生ボードの指標升目についてまた他の例を示す拡大平面図、（Ｂ）は本願発明に係る養生ボードの指標升目について更にまた他の例を示す拡大平面図。
【発明を実施するための形態】
【００１９】
以下、図面に基づき本願発明に係る切断装置の好適な実施の形態について説明する。
図１〜図３へ示す通り、この養生ボードは、表面ｓ側を化粧面とし、裏面ｔ側へクッション材が積層された養生ボード１である。
図３へ示す通り、表面側から裏面側へ順に、エンボスシート２、紙材３、クッション材４が積層されている。
【００２０】
エンボスシート２は、紙材３の表面側をラミネートするプラスチックのフィルムである。エンボスシート２として、ポリエチレンフィルムを採用することができる。但し、エンボスシート２には、防水性を有し、紙材２の表面に印刷された図案を視認できる透明なものであれば、ポリエチレンフィルム以外のプラスチックフィルムを採用して実施してもよい。また、上記図案は、紙材３ではなく、エンボスシート２に印刷されたものとしても実施でき、この場合エンボスシート２は透明である必要はない。
紙材３は、板紙であり、紙材３には、再生紙を採用することができる。この例では、紙材３に、紙管原紙を採用する。紙材３に、再生紙を利用するのは環境面で好ましい。但し、養生ボード１の心材として利用できるものであれば、紙材３として、再生紙以外の紙を採用して実施することもできる。
クッション材４には、衝撃を緩和できる発泡材を採用することができる。クッション材４には、発砲ポリエチレンを採用することができる。クッション材４は、緩衝材として利用できるものであれば、発砲ポリエチレン以外の発泡材を採用することができる。
【００２１】
この養生ボード１は、略畳一畳分の縦横の幅を備える。即ち、養生ボード１は、図１（Ａ）へ示す短辺ａを約９００ｍｍ、長辺ｂを約１８００ｍｍ、厚さ約３ｍｍとする自立性を備えたシートである。この例では、上記紙材３の厚みは約１ｍｍ、クション材４の厚みは約２ｍｍである。尚この例では、図１（Ａ）へ養生ボード１は、長辺ｂを１８００ｍｍより若干（後述する升目ｍの半升程度）大きいものとしている。
上記各部の寸法は例示であり、必要に応じて変更して実施すればよい。
室内の床面を保護する場合、養生ボード１は、通常複数敷き詰め、隣り合う養生ボ―ド１の端同士をテープで留めて利用する。
説明の便宜上、以下上記短辺ａを養生ボード１の縦辺とし上記長辺ｂを養生ボード１の横辺とする。
図１（Ｃ）へ示す通り、エンボスシート２は、亀甲型のエンボス５がかけられている。エンボス５は亀甲の内側の平らな領域が突出するようにかけられている。このように亀甲の輪郭の内側の平らな部分が突出するようにエンボスをかけておくことによって、滑り止めとしての抵抗面を比較的広く確保できる。
【００２２】
図２（Ａ）へ示す点線で通り、養生ボード１には、廊下の床を養生する場合に備えて、廊下の幅に合わせて折ることができる弱め線６が、長辺ｂ寄りに長辺と平行に２本入れられている。具体的には、弱め線６の夫々は、後述する方眼の升目ｍ２つ分長辺よりも養生ボード１の内側へ設けられている。弱め線６は、図３（Ａ）へ示す通り、養生ボード１の裏面側に入れられたスリット即ち切れ込みである。尚、廊下の養生を予定しない場合は、弱め線６を設けずに実施してもよい。
更にこの例では、図２（Ａ）へ一点鎖線で示す通り、養生ボード１には、四つ折りにし易いように、上記長辺ｂ間へ短辺ａと平行に３本の折り目線７が入れられている。折り目線７同士は互いに等間隔を開けて設けられており、プレス加工により形成されている。上記四つ折り以外に、二つ折りや三つ折り、五つ折り以上など、折り数を変えて実施する場合、当該折り数に応じて、上記折り目線７の数や配置を変えて対応すればよい。また、上記の通り養生ボード１が四つ折りにできるものであっても、二つ折りや三つ折りにして使用することを制限するものではなく、状況に応じて適宜折り方を変えて利用することができる。
また、養生ボード１を折って使用することを予定しない場合、折り目線７を設けずに実施することができる。
【００２３】
図１（Ａ）（Ｂ）へ示す通り、養生ボード１の表面ｓ側は上記の通り化粧面として図案を呈する。
即ち、養生ボード１の表面ｓには、網目模様として印刷された方眼が現れる。図３（Ａ）へ示す通り、この例では、上記方眼は、エンボスシート２の表面に印刷加工することにより設けられている。
上記方眼は、養生ボード１の上記縦辺と平行な複数の縦罫線ｋａと、養生ボード１の上記横辺と平行な複数の横罫線ｋｂとが交差して格子を呈する。
上記方眼は、上記格子に画された複数の正方形の升目ｍを備える。この例では、各升目ｍは縦横５ｃｍ（１升５０ｍｍ角）、即ち、各升目ｍは図２（Ｃ）へ示す通り縦辺ｗ１が５０ｍｍ、横辺ｗ２が５０ｍｍの正方形である。
この例では、個々の升目ｍの上記縦横の辺、即ち一升は、この養生ボード１をメジャーボードとして採寸に利用する場合の、一番大きな単位（５ｃｍ）の１目盛となる。
この例では、上記方眼は、養生ボード１の表面ｓの全体に渡って設けられている。
従って図１（Ａ）へ示す通り、養生ボード１の方眼は、縦１８升、横３６升の複数の升目ｍにて構成されている。
【００２４】
複数の升目ｍは、一部の指標升目ｍａと、指標升目ｍａ以外の無指標升目ｍｂとにて構成される。この例では、指標升目ｍａは、特許請求の範囲における指標升目とゲージ部に対応する。
図１（Ａ）（Ｂ）へ示す通り、無指標升目ｍｂは、商標や後述する目盛の数字や折り目線、商品についての所定の記載事項の表示を除いて、基本的に単色で無地のものである。この例では、無指標升目ｍｂは、夫々同一の淡色である。
指標升目ｍａの夫々は、メジャーボードとしての養生ボード１のアクセントとなる詳細メジャーであり、指標升目ｍａの夫々は、図２（Ｂ）（Ｃ）へ示す通り、後述する淡色領域と淡色領域よりも濃色の濃色領域とに区画された升目である。
図１（Ａ）（Ｂ）へ示す通り、この例では、縦７升・横１４升の（７×１４＝）９８個の升目ｍにて構成された縦３５ｃｍ・横７０ｃｍの矩形において、指標升目ｍａは当該矩形内の四隅の夫々に配置された升目ｍである。
１つの矩形において、養生ボード１の長辺ｂ方向について無指標升目ｍｂを５升挟んで横に一対の指標升目ｍａが配置され、養生ボード１の短辺ａ方向について無指標升目ｍｂを１２升挟んで縦に一対の指標升目ｍａが配置されている。
図１（Ａ）へ示す通り、上記矩形は、養生ボード１の長辺ｂ方向について複数配列されている。この例では、図１（Ａ）に示す通り、養生ボード１の長辺ｂ方向について、各矩形は互いに２升間隔を隔てて配置される。この例では、養生ボード１の長辺ｂ方向について中央に３個の上記矩形が完全な形で示され、当該３個の矩形を挟んで左右の矩形は左右の一部が欠けた不完全な形で示されている。
但し、上記矩形のサイズは、上記に限定するものではなく、上記矩形を構成する升目ｍの数は、必要に応じて変更可能である。
また、指標升目ｍａは、上記の矩形の四隅となる位置以外の位置に配置するものとしても実施できる。但し、上記の矩形自体は、その輪郭は方眼をなす格子の一部であり、指標升目ｍ無しでは独立した矩形として認識できない。従って、上記矩形の四隅とする升目ｍは指標升目ｍａとするのが好ましい。
矩形の大きさを変更する場合、上記指標升目ｍａ間に挟む無指標升目ｍｂの数を変更すればよい。
【００２５】
図１（Ｂ）は上記中央の３個の矩形の１つを示し、図２（Ｂ）は当該矩形の図１（Ｂ）中上方の一対の指標升目ｍａを含む部分を拡大して示している。図２（Ｃ）は図２（Ｂ）の左側の指標升目ｍａを示している。
指標升目ｍａについて詳しく説明する。上記方眼の縦横一升目を縦横の大目盛の一目盛として、図２（Ｃ）へ示す通り、正方形である指標升目ｍａの縦辺ｗ１には、上記大目盛より小さな単位、この例では１０ｍｍ（１ｃｍ）を一目盛とする小目盛ｆが等間隔にふられ、指標升目ｍａの横辺ｗ１にも１０ｍｍ（１ｃｍ）を一目盛とする小目盛ｇが等間隔にふられている。
より具体的には、図２（Ｃ）へ示す通り、指標升目ｍａにおいて上記矩形の頂点ｐを挟む縦辺ｗ１と横辺ｗ２の夫々に、上記小目盛ｆ，ｇがふられている。
指標升目ｍａの横辺ｗ２に設けられた小目盛ｇ（以下横小目盛ｇ）の夫々は、横辺ｗ２から指標升目ｍａ内部に向け互いに等間隔を保ちつつ養生ボード１の短辺ｂ方向即ち縦方向に真っすぐ伸び、頂点ｐに近い目盛ｇから直角に曲がって横方向即ち図２（Ｃ）では左方向へ伸び、縦辺ｗ１に到達して上記小目盛ｆ（以下縦小目盛ｆ）となる。言い換えると、縦小目盛ｆの夫々は、縦辺ｗ１から指標升目ｍａ内部に向け互いに等間隔を保って養生ボード１の横方向に真っすぐ伸び、頂点ｐに近い目盛ｇから直角に曲がって縦方向即ち図２（Ｃ）では上方向へ伸び、横辺ｗ２に到達して上記横小目盛ｇとなる。
指標升目ｍａ内は、縦横に伸びる上記の小目盛によって、夫々頂点ｐを取り囲む平面視Ｌ字の小区画に区画されている。そして隣り合う前記小区画同士は互いに異なる色に色分けされている。この例では、頂点ｐに近い小区画は濃色具体的には黒などの暗色で塗りつぶされた濃色領域をなし、当該濃色領域のすぐ外側の小区画は濃色領域よりも淡色で塗りつぶされた淡色領域をなす。そして、指標升目ｍａ内において頂点ｐを取り囲んで頂点ｐから外側に向けて濃淡交互に各小区画の領域が配置されている。
尚この例では、小目盛は色分けされて濃色領域と一体となり実線としては視認できないが、濃色領域と淡色領域の境界線として認識することができる。
尚、上記例では特許請求の範囲の、物差し部は上記矩形の辺に、大目盛は矩形の辺を構成する方眼の格子に、大区画は上記方眼の升目に対応する。
【００２６】
上記において各小目盛ｇが直角に曲がることによって形成された直角の各角は、直接線分で結ばれたものではないが、視覚効果として各角を結び縦辺ｗ１及び横辺ｗ２に対して４５度の角度をなす斜めの線を認識でき、加工対象や養生ボードを斜めにカットする場合４５度の角度線即ち斜め線として利用することができる。
尚、この例では、隣り合う小目盛ｆ，ｇ間を１ｍｍ間隔で等分割する最小目盛がふられている。但し、上記最小目盛は不要であれば設けずに実施できる。
【００２７】
上記の通り、指標升目ｍａの間に無指標升目ｍｂを配置することにより、養生ボード１を升目の図柄で煩雑で見難いものとせずに、目印となる指標升目ｍａを明瞭に見せることができる。
指標升目ｍａが呈する上記濃淡領域による図柄は、ゲージ部として上記小目盛の目盛間の間隔を隣接する小区画の境界として際立たせるものであり、計測する小スケールとして指標升目ｍａを用いるとき、細かな小目盛を極めて読み易いものとする。その一方で指標升目ｍａは、方眼中の指標として、箪笥などの大物を図る上記小スケールより上位の単位のスケールの方眼の指標とすることができる。このように指標升目ｍａは、相反する２つの機能を併せ持つのである。
【００２８】
例示してきた養生ボード１の利用について簡単に触れる。
養生ボード１の使用において、図４（Ａ）へ示す通り、家具などの設備品ｒのレイアウトや設置の可否の確認が設備品ｒを設置する前に確認できる。
また、図４（Ｂ）へ示す通り、ワゴン車ｕの荷台に敷いて、積み荷で車内が傷つくのを防ぐことができる。また図３（Ｃ）や図５（Ａ）へ示す通り、養生ボード１を折り畳んで卓上ｘにてカッティングマットとして利用できる。更にレジャーマット代わりに利用できる他、図５（Ｂ）へ示す通り、寄せ集めた段ボール箱ｙの上に養生ボードを敷くことによって簡易ベッドとして利用することができる。
【００２９】
また、前述の通り養生ボード１は、裏面にクッション材（発砲ポリエチレン）が施されており衝撃を吸収するので、衝撃に強く緩衝性が高い。従って、搬入・搬出する物が取り扱い中に柱や壁に当たっても傷の心配がなく、しかも丈夫で複数回の現場転用ができ経済的である。また、養生ボード１は、他の養生材との組み合わせる必要がなく、単品で利用できる。養生ボード１の表面ｓはエンボスシート２にて防水性を有し、滑り難く、且つ汚れ難い。養生ボード１を床材に止める場合はテープを利用して止めることができる。養生ボード１は、折り畳みできるので、持ち運び・取り扱いが簡単である。
上記表面ｓは、亀甲型にラミネートされ平らな接触面を大きくし、下敷きにし易い。
養生ボード１の両長辺ｂ側の両サイドに弱め線６が施されており、図３（Ｂ）のように、折ることにて廊下幅にも対応可能である。尚図３（Ｂ）のように使用する場合、折る位置が分り易いように、養生ボード１の表面ａ側へ破線ｃなどの目印を設けておけば便利である。
特に、養生ボード１表面への上記デザイン印刷により用途を拡大した。例えば、目盛について、方眼紙のように５０ｍｍ間隔のラインを縦・横に入れることで定規なしで必要なサイズに簡単にカットできる。
【００３０】
（変更例）
上記の実施の形態において、ゲージ部即ち指標升目は、図２（Ｃ）へ示すように頂点の一つを取り囲むように、当該頂点を含む部分を濃色とし、当該頂点を含む部分を取り囲む各小区画を、頂点から離れる順に、淡色、濃色、淡色、濃色…と濃淡交互に色分けするものとしてもよいが、図２（Ｃ）へ示すものとは逆に、図６（Ａ）へ示す通り、頂点を含む部分を淡色とし、当該頂点を含む部分を取り囲む各小区画を、頂点から離れる順に、濃色、淡色、濃色、淡色…と濃淡交互に色分けするものとしてもよい。
上記の濃色としては黒色や濃紺、濃緑、濃茶などの暗色を採用することができる。また、上記淡色としては、白色や灰色や肌色、水色などの明色や中間色を採用することができる。但し、濃色は淡色よりも濃いものであればよく、上記以外の色を濃色及び淡色に採用して実施することができる。また、濃色領域同士同じ色とし、同様に淡色領域同士同じ色に限定するものではなく、濃色領域同士も異なる濃色とし、淡色領域同市も異なる淡色として実施することができる。
更に、上記色分けは、隣接する小区画同士を容易に識別できるものとすればよく、色の濃淡で行う他、彩度や明るさの相違によっても行うことができる。例えば緑と赤となどのように補色関係にある色にて色分けを行ってもよい。
養生ボードについて、全体が淡色で方眼の格子が濃色のものを図示したが、全体が濃色で方眼の格子が淡色のものとしても実施できる。
また、各小区画は、縦横の長さを同じにするほか、図７（Ａ）へ示す通り各小区画の縦横の寸法の何れか一方を縦横の寸法何れか他方よりも長くするものとしても実施できる。また、小目盛の比率を縦横で異なるものとしても実施できる。尚、図７（Ａ）へ示すように、或いは、上記のように縦横の比率を変えることにて、小目盛の角がなす前述の斜め線の角度も４５度以外のものとすることができる。従って、頻繁に利用する斜め線の角度に応じ、上記縦横の比率などの変更を行うことができる。
また、ゲージ部（指標升目ｍａ）について、図２（Ｃ）や図７（Ａ）へ示すように、上記各小区画がＬ字状に屈曲して一方の辺から隣接する他方の辺へ伸びるものとする他、屈曲せずに真っすぐ上記一方の辺と対向する辺へ到達するものとすることができる（図示は省略）。また屈曲しない場合も、図７（Ｂ）へ示す通り濃色の区画は上下に伸びるも当該対向する辺に届かないものとしても実施できる。図７（Ｂ）の例において濃色の区画は横方向に伸びるものとしてもよい。図７（Ｂ）の例についてより具体的には濃色の区画同士は分断されているが、淡色の区画は一つの区画として繋がっている。この図７（Ｂ）の場合も、図示したものと濃淡は逆であっても実施できる。また、一辺の目盛となる濃淡の境界は、ゲージ部の輪郭をなす他の辺まで到達したり、図７（Ｂ）のように伸びる方向の終端も明確に色分けされたものに限定するものではなく図７（Ｃ）へ示す通り、伸びる先で濃色と淡色とがグラデーションにて明瞭な境界を持たないものとしても実施できる。図７（Ｃ）へ示す場合も、グラデーションの上方においては色分けの境界が明瞭であり、当該明瞭な範囲は小目盛をなす線にて区画された領域である。
更に図６（Ｂ）へ示す通り、上記目盛を備え交差する一対の辺に挟まれた対角線を境界として更に一方の辺側と他方の辺側で濃淡色分けするものとしても実施できる。この図６（Ｂ）の例は、図２（Ｃ）へ示すゲージ部と図６（Ａ）へ示すゲージ部とを複合したものと言える。
【００３１】
養生ボードは、専ら建築物の内装に用いるものに限定するものではなく、養生以外の目的に使用するのを制限するものではない。上述の通り、養生ボードは、多目的なボードとして利用することができるのである。また、養生ボードはクッション材を備えないものとしてもよい。
上記において網目模様として升目が正方形の方眼を例示した。この他、網目が格子状のものであれば、升目は正方形に限らず長方形であっても実施できる。また、室内の養生という用途に限らず、他の保護ボードとして利用する場合、網目模様を格子以外の模様としても実施できる。例えば養生ボードは、三角形や六角形の升目にて構成されるものとしても実施できる。
【００３２】
上記の実施の形態において、方眼即ち網目模様は、養生ボードの表面即ち化粧面の全域に渡って印刷されたものとした。この他方眼は養生ボードの一部分にのみ設けるものとしても実施できる。また、方眼を化粧面の一部に表示する場合、方眼を設けない領域に、ゲージ部を設けるものとしても実施できる。
また、養生ボードは、網目模様を備えたものに限定するものではなく。例えば無地の表面に上記矩形とその四隅にゲージ部として、上記指標升目ｍａと同様の図柄を備えたものをプリントして実施することができる。この場合、矩形の各辺において、ゲージ部の輪郭以外の部分には、物差しなどと同様の目盛をふっておけば、方眼を備えなくとも大物を採寸するメジャーとしての利用が可能である。
但し、養生ボード１として利用する場合、上記方眼を印刷して、方眼中に指標升目ｍａを設けておくのが、養生ボード１の表面（化粧面）の各部を、家具などのレイアウトの目安としてきめ細やかに対応することができ好ましい。
網目模様をプリントしない場合において、ゲージ部と共に上記の矩形のプリントする以外に、矩形以外の他の多角形をプリントとしてその隅にゲージ部を表示するものとしても実施できる。例えば上記多角形としてゲージ部も三角形とするのを除外するものではない。勿論矩形以外の多角形の隅にゲージ部を設ける場合も、当該多角形を構成に備える網目模様を有するものとしても実施できる。
【００３３】
（まとめ）
総括すると本願発明に係る養生ボードは、住宅や店舗などの建築物の改装、新築、引越の際に床面や階段、或いは壁面へ配されて家具や設備の搬入や搬出により床面や階段、壁面が傷つくのを防止する、養生ボードに代表されるものであり、背面側にクッション材を備えたボードであり、衝撃を吸収して上記建築物の内装を保護することができる。
特にポリエチレンなどの防水性のボードをラミネートすることにより、クッション材による耐衝撃と共に水に濡れても強いボードとすることができた。
更に、本願発明に係る養生ボードは、上記建築物に対する利用以外に、ワゴンなどの自動車の荷台へ敷設して、積載物にて車内が傷つくのを防止することができる。また、学校での工作や日曜大工の作業時にカッタなどで工作物を切断する際、本願発明に係る物品をカッティングマットがわりに卓上へ敷くことにより、机やテーブルが傷つくのを防止することができる。
また、この養生ボードは、クッション性を有するものであるため、レジャーシートとして屋外で使用することができ、レジャー以外に被災地での簡易布団や避難所の床材としての利用や避難所室内の防寒対策に利用することができる。
この養生ボードは、配置する場所の寸法や形状に応じ、正面に印刷された方眼及び当該方眼の一部の濃淡模様を目印とし切断して適切なサイズや形状にすることができる。
特に、養生ボードとして床に敷いて利用する際、正面に現れる方眼や方眼に付した模様を指標として、家具や厨房設備の配置などの採寸を行うことができ、購入前に当該家具や厨房設備の設置の可否を知ることができる。
また、この養生ボードは、正面に現れる方眼及び一部の当該方眼が備える濃淡模様を目印とし、適切な位置で折り曲げたり折り畳むことにて使用したり持ち運んだりすることができる。
上記切断や折り畳みに際して、包含の升目や目盛を利用して切断位置や折り目を正確に決めることができる他、この養生ボードを物差しとして他の工作物の寸法を測ることができる。  
【符号の説明】
【００３４】
１  養生ボード
２  エンボスシート
３  紙材
４  クッション材
５  エンボス
６  弱め線
７  折り目線
ｆ  小目盛
ｇ  小目盛
ｍ  （方眼の）升目
ｍａ  指標升目（ゲージ部）
ｍｂ  無指標升目
ｓ  （養生ボード１の）表面
ｔ  （養生ボード１の）裏面
【図１】
0006526486.tif 000002
【図２】
0006526486.tif 000003
【図３】
0006526486.tif 000004
【図４】
0006526486.tif 000005
【図５】
0006526486.tif 000006
【図６】
0006526486.tif 000007
【図７】
0006526486.tif 000008